(57)【特許請求の範囲】
【請求項１】
帯電された静電潜像担持体表面に光書き込み手段で光を照射することにより静電潜像を形成し、形成された静電潜像に有色のトナー及び白色トナーを付着して現像し、有色トナーと白色トナーを静電潜像担持体から被転写部材に転写することによって画像を形成する工程を備え、転写工程において、隣接する所定数の有色トナー画素の占めるべき領域を階調制御用の単位領域とし、単位領域の中央に白色トナーを分散させて転写することを特徴とする画像形成方法。
【請求項２】
被転写部材が転写紙であるとき、転写工程において、白色トナーが転写紙上で最上層に転写されることを特徴とする請求項１記載の画像形成方法。
【請求項３】
静電潜像に付着する白色トナーは、帯電量が有色トナーより大きいことを特徴とする請求項１記載の画像形成方法。
【請求項４】
白色トナーは粒径が、3μｍ以上有色トナー粒径未満であることを特徴とする請求項１記載の画像形成方法。
【請求項５】
白色トナーは母材と白色材からなり、母材がポリエステル系樹脂であることを特徴とする請求項１記載の画像形成方法。
【請求項６】
白色トナーは母材と白色材からなり、母材がポリメチルメタクリレート系樹脂であることを特徴とする請求項１記載の画像形成方法。
【請求項７】
白色トナーは母材と白色材からなり、白色材の含有量が10ｗｔ％〜30ｗｔ％であることを特徴とする請求項１記載の画像形成方法。
【請求項８】
転写工程において、白色トナー転写時の転写電流は有色トナー転写時の転写電流より大きく設定されることを特徴とする請求項１記載の画像形成方法。
【請求項９】
白色トナー転写前に静電潜像担持体の除電を行う工程をさらに備えることを特徴とする請求項１記載の画像形成方法。
【請求項１０】
静電潜像形成工程において、白色トナー像形成用と有色トナー形成用の２種類の静電潜像担持体を使用し、前者は後者よりも静電潜像担持体の厚さが薄いことを特徴とする請求項１記載の画像形成方法。
【請求項１１】
現像工程において、白色トナー像を形成する際の静電潜像担持体の帯電電位を有色トナー像を形成する際の帯電電位より絶対値を高くすることを特徴とする請求項１記載の画像形成方法。
【請求項１２】
帯電された静電潜像担持体表面に光書き込み手段で光を照射することにより静電潜像を形成し、形成された静電潜像に有色のトナー及び白色トナーを付着して現像し、有色トナーと白色トナーを静電潜像担持体から被転写部材に転写することによって画像を形成する工程を備え、白色トナーは母材と白色材からなり、白色材の含有量が10ｗｔ％〜30ｗｔ％であることを特徴とする画像形成方法。
【請求項１３】
帯電された静電潜像担持体表面に光書き込み手段で光を照射することにより静電潜像を形成し、形成された静電潜像に有色のトナー及び白色トナーを付着して現像し、有色トナーと白色トナーを静電潜像担持体から被転写部材に転写することによって画像を形成する工程を備え、転写工程において、白色トナー転写時の転写電流は有色トナー転写時の転写電流より大きく設定されることを特徴とする画像形成方法。
【請求項１４】
帯電された静電潜像担持体表面に光書き込み手段で光を照射することにより静電潜像を形成し、形成された静電潜像に有色のトナー及び白色トナーを付着して現像し、有色トナーと白色トナーを静電潜像担持体から被転写部材に転写することによって画像を形成する工程を備え、白色トナー転写前に静電潜像担持体の除電を行う工程をさらに備えることを特徴とする画像形成方法。
【請求項１５】
帯電された静電潜像担持体表面に光書き込み手段で光を照射することにより静電潜像を形成し、形成された静電潜像に有色のトナー及び白色トナーを付着して現像し、有色トナーと白色トナーを静電潜像担持体から被転写部材に転写することによって画像を形成する工程を備え、静電潜像形成工程において、白色トナー像形成用と有色トナー形成用の２種類の静電潜像担持体を使用し、前者は後者よりも静電潜像担持体の厚さが薄いことを特徴とする画像形成方法。
【請求項１６】
帯電された静電潜像担持体表面に光書き込み手段で光を照射することにより静電潜像を形成し、形成された静電潜像に有色のトナー及び白色トナーを付着して現像し、有色トナーと白色トナーを静電潜像担持体から被転写部材に転写することによって画像を形成する工程を備え、現像工程において、白色トナー像を形成する際の静電潜像担持体の帯電電位を有色トナー像を形成する際の帯電電位より絶対値を高くすることを特徴とする画像形成方法。
【発明の詳細な説明】
【０００１】
【発明の属する技術分野】
この発明は画像形成方法に関し、とくに、白色トナーを用いて中間調画像を形成する電子写真方式の画像形成方法に関する。
【０００２】
【従来の技術】
従来、所望の画像濃度の中間調を得るために、白トナーと黒トナーを混合したトナーを用いて、原稿濃度または現像電位に対して全トナーあたりの黒トナーの比率を設定するもの（例えば、特開平２−２８７３７０号公報参照）や、軟調モードと硬調モードを持つ電子写真方式の画像形成装置において、軟調モードが指定された際に、現像スリーブ上に指定量の白トナーが供給され、滑らかなハーフトーンを形成するようにしたもの（例えば、特開平３−４２５９号公報参照）が知られている。
【０００３】
【発明が解決しようとする課題】
しかしながら、前者では、画像濃度それぞれに対して白トナーの混合比率を変えているが、安定した混合状態になるまで時間がかかり、高速化もしくは高解像度化には不向きである。さらに、白・黒トナーの混合過程は極めてアナログ的であり、定量化された安定画質は望めない。
【０００４】
また、後者においても、軟調モード、硬調モードという大雑把な画質切り替えしかできず、白色トナーの供給も、モードに合わせて現像スリーブに供給するだけなので、細かな階調再現や高画質化には不向きである。
この発明はこのような事情を考慮してなされたもので、白色トナーを転写時に分散させることにより、細かな階調印字を可能とする画像形成方法を提供するものである。
【０００５】
【課題を解決するための手段】
この発明は、帯電された静電潜像担持体表面に光書き込み手段で光を照射することにより静電潜像を形成し、形成された静電潜像に有色のトナー及び白色トナーを付着して現像し、有色トナーと白色トナーを静電潜像担持体から被転写部材に転写することによって画像を形成する工程を備え、転写工程において、隣接する所定数の有色トナー画素の占めるべき領域を階調制御用の単位領域とし、単位領域の中央に白色トナーを分散させて転写することを特徴とする画像形成方法を提供するものである。
【０００６】
【発明の実施の形態】
この発明における静電潜像担持体には、従来公知のもの、例えばドラム状やベルト状の感光体を用いることができる。
また、光書き込み手段とは、例えばレーザー光源やＬＥＤ光源からの光ビームを印字データ（２値信号）で変調して出射する手段であり、これには従来公知のものを用いることができる。
【０００７】
この発明における現像工程には、有色トナー現像用と白色トナー現像用の現像器がそれぞれ使用されるが、各現像器には従来のものを用いることができる。
また、トナーへの帯電は、現像器内での撹拌による摩擦帯電により行われる。転写工程における白色トナーの分散は、予め白色トナーに有色トナーよりも多い帯電量をもたせ、白色トナーの転写電流を有色トナーのそれよりも大きく設定することにより、静電潜像担持体から被転写部材に白色トナーが飛散する現像を利用して行うことができる。
【０００８】
なお、有色トナーとは白色以外の色を有するトナーを意味し、例えば、シアン，マゼンダ，イエロー，およびブラックなどの色を有するトナーを挙げることができる。
被転写部材は、例えば転写紙，ＯＨＰ用フィルムのように画像が直接形成される記録媒体や、静電潜像担持体と記録媒体との間に介在して静電潜像担持体から一旦転写されたトナー像を前記記録媒体へ再転写する中間転写体などを含む。
【０００９】
被転写部が転写紙であるとき、転写工程において、白色トナーは転写紙上で最上層に転写されることが好ましい。
白色トナーを最上層に転写することにより、有色トナーが隠蔽され、階調性が向上する。
【００１０】
静電潜像に付着する白色トナーは有色トナーより帯電量が大きいことが好ましい。
白色トナーの帯電量を大きくすることによって、転写時の白色トナー間の反発力を高め、白色トナーを散りやすくすることができる。
【００１１】
白色トナーは粒径が、3μｍ以上有色トナー粒径未満であることが好ましい。  3μｍ以下の粒径では小さすぎて、凝集力が働き、散らすことが困難となる。一方、有色トナー以上の粒径では、白色トナーの存在が目立ち、階調再現性が向上しない。
【００１２】
白色トナーは少なくとも母材と白色材からなり、母材がポリエステル系樹脂又はポリメチルメタクリレート系樹脂であってもよい。
白色トナー用母材は、白色材の発色を妨げないように、透明性の高い樹脂を選択することが望ましい。
【００１３】
白色トナーは少なくとも母材と白色材からなり、白色材の含有量が10ｗｔ％〜30ｗｔ％であることが好ましい。
トナーの重量に対して10重量％以上の白色材を加えることによって、白色トナーとして十分に発色し、薄層で白色トナー層の形成が可能であり、下地の有色トナーの隠蔽も十分である。また、30ｗｔ％を越えるとトナーとしての帯電特性および定着特性が低下する。
【００１４】
転写工程において、白色トナー転写時の転写電流は有色トナー転写時の転写電流より大きく設定されることが好ましい。
転写電流を有色トナーより大きくすることで、過剰な転写電流を発生させ、より強い電界で転写することにより、効果的に飛び散り転写を行うことが可能となる。
【００１５】
白色トナー転写前に静電潜像担持体の除電を行う工程をさらに備えることが好ましい。
転写前除電を行うことによって、潜像エッジ部での像担持体への付着力を弱め、転写前の飛び散りが起こりやすくなる。
【００１６】
静電潜像形成工程において、白色トナー像形成用と有色トナー形成用の２種類の静電潜像担持体を使用する場合には、前者は後者よりも静電潜像担持体の厚さが薄いことが好ましい。静電潜像担持体の厚さを薄くした場合、潜像エッジ部の電界強度が急峻であるため、転写部での電界が乱れやすく、散りが発生しやすい。
【００１７】
現像工程において、白色トナー像を形成する際の静電潜像担持体の帯電電位を有色トナー像を形成する際の帯電電位より絶対値を高くすることが好ましい。
静電潜像担持体の帯電電位と露光電位差が大きいほど、潜像エッジ部での電界強度差が大きくなり、転写時の電界が乱れやすくなるため、トナーの飛び散りが発生しやすい。
【００１８】
（実施例）
以下、図面に示す実施例に基づいてこの発明を詳述する。これによってこの発明が限定されるものではない。
【００１９】
モノクロ印字方法
図1は白色トナーと有色トナーとを用いたこの発明のモノクロ印字方法の説明図である。図1に示すように、接触型又は放電型の帯電器２ａを用いて、矢印Ｒ方向に回転するドラム状の感光体１ａの表面を一様に帯電し、レーザ光源からの光ビームを２値信号で変調した光ビーム３ａを用いて感光体１ａ上に静電潜像を書き込み、現像器４ａから感光体１ａに有色トナーを供給して静電潜像に付着させ現像（顕像化）する。ここで得られたトナー画像を非接触チャージャーもしくはローラー転写器等の転写手段５ａを用いて、矢印Ａ方向に移動する転写紙Ｐに転写する。
【００２０】
その後さらに、接触型又は放電型の帯電器２ｂを用いて、矢印Ｒ方向に回転するドラム状の感光体１ｂの表面を一様に帯電し、レーザ光源からの光ビームを２値信号で変調した光ビーム３ｂを用いて感光体１ｂ上に静電潜像を書き込み、現像器４ｂから感光体１ｂに白色トナーを供給して静電潜像に付着させ現像（顕像化）する。その後すでに有色トナーの転写された転写紙Ｐ上に白色トナー画像を非接触チャージャーもしくはローラー転写器等の転写手段５ｂを用いて転写する。
【００２１】
さらに、定着手段６を通過させることによって、転写トナーを転写紙Ｐ上に定着させる。定着手段６は、非接触定着方式もしくは接触定着方式のどちらを用いてもよい。クリーニング部材７ａ，７ｂは感光体１ａ，１ｂ上に残った未転写トナーを回収する。
なお、除電部材１０は、必要に応じて感光体ドラム１ｂの電荷を除電するものであり、これには非接触型のチャージャーを用いることができる。
【００２２】
カラー印字方法
図２は白色トナーと各種有色トナーを用いたこの発明のカラー印字方法の説明図である。図２に示すように矢印Ｒ方向に回転するドラム状の感光体１ｃの表面を帯電器２ｃを用いて一様に帯電し、レーザー光源からの光ビームを２値信号で変調した光ビーム３ｃを用いて感光体１ｃ上に静電潜像を書き込む。
【００２３】
次に、現像器Ｗから感光体１ｃに白色トナーを供給して静電潜像に付着させ白色トナー画像を形成し、ローラ６により支持されて矢印Ｓ方向に移動する帯状の中間転写体（例えば、厚さ７５〜１００μｍのＰＶＤＦ製フィルム）９上に転写手段５ｃを用いて転写する。次に、クリーニング部材７ｃにより感光体ドラム１ｃに残った未転写トナーを回収する。このようにしてまず白色トナー画像の中間転写体９への転写工程を終了させる。
【００２４】
同様にして、感光体１ｃ上にシアン，マゼンダ，イエローおよびブラック印字用の静電潜像を光ビーム３ｃで書き込む工程と、現像器Ｃ，Ｍ，Ｙ，Ｂによりシアン，マゼンダ，イエローおよびブラックのトナーにより現像する工程をくり返して各色トナー画像を転写手段５ｃを用いて順次中間転写体９へ転写する。
【００２５】
この時点で、中間転写体９上には、最下層に白色トナー層が印字され、その上にシアン，マゼンダ，イエローおよびブラックのトナー層が印字されたカラー画像が形成される。
【００２６】
次に、形成されたカラー画像を矢印Ａ方向に移動する転写紙Ｐ上に転写手段５ｄを用いて一度に転写する。そして、定着手段６を通過させることによって、転写紙Ｐ上に転写トナーを定着させる。
なお、除電部材１０は、必要に応じて感光体ドラム１ｃの表面の電荷を除電するためのものであり、これには、例えば非接触型のチャージャーが用いられる。
また、転写手段５ｄには接触型又は非接触型の転写器が用いられる。
【００２７】
白色トナーによる階調
２値画像の場合、有色トナーのみで、例えば図３に示すような隣接する４つの画素を１単位として、それに図４〜図７に示すように印字すれば、１／４階調，２／４階調，３／４階調，４／４階調を表わすことができる。この発明では、図８〜図１１に示すように４つの画素のほぼ中央部に、さらに白色トナーを分散させるようにしている。
【００２８】
これによって、図３から図７に対してそれぞれの中間の階調を得ることができる。
つまり、濃度の比較において、
図３＜図８＜図４＜図９＜図５＜図１０＜図６＜図１１＜図７
となる階調が得られる。
この発明の階調制御はこのように白色トナーを分散させることによって行われるので、粒状感のない滑らかな画像を得ることができる。
【００２９】
白色トナーの印字順序
図１２にこの発明の白色トナーと有色トナーの印字順序を示す。転写紙Ｐの上には有色トナー層Ｔｃを印字したあとに、白色トナー層Ｔｗを印字する。それによって、有色トナー層Ｔｃを確実に白色トナー層Ｔｗで隠蔽でき、再現性のよい多値の階調表現が可能となる。
【００３０】
白色トナーの帯電量
一般的にトナーの帯電量は、現像転写特性を良好に保つために、トナー同士の飛び散りがなく、現像転写時に安定した電気特性をもたせるために、マイナス帯電トナーの場合、-20μｑ/ｇ前後の帯電量を保持させている。
【００３１】
この実施例に用いる白トナーに関しては、転写時に飛び散り（分散）を起こさせることが条件であるため、白色トナーの帯電量を-40〜-50μｑ/ｇ程度にする。それによって、転写性能は低下させることなく、トナー同士の反発力により、飛び散りを効果的に発生させることができる。
【００３２】
また、白色トナーの帯電量を上げるためには、トナーに対するCCA(チャージコントロールエージェント)の添加量を多くする必要がある。一般的なトナーは0.5〜4％程度（マイナス帯電トナーの場合-20μｑ/ｇ前後の帯電量が得られる）であるが、白色トナーの場合には、５〜１０％程度添加するのがよい。
【００３３】
CCAの材料としては、マイナス帯電の場合、アゾ系含金属錯体、サリチル酸の金属錯体、テトラフェノール、ホウ酸塩等を挙げることができる。プラス帯電の場合には、ニグロシン系染料、トリフェニルメタン、アンモニウム塩、有機リン、リン酸化合物等が挙げられる。
【００３４】
転写時の飛び散りの発生方法
図１３に転写前のトナーＴの状態を、図１４に転写後のトナーＴの状態を示す。有色トナーの場合は、転写前にトナーが飛翔すると画像の劣化につながるため、転写部で転写が起きる転写電流を設定する。ところが、白色トナーの転写の場合には、図１４に示すように転写前の微小空隙において白色トナーを転写紙Ｐ（又は中間転写体９）の方に向かって飛散させるために、転写電流を有色トナーの転写電流より高い値に設定する。
【００３５】
これにより、転写前の微小空隙において白トナーに十分な電界Ｅがかかり、転写以前に白トナーが飛翔しはじめ、転写紙Ｐ（又は中間転写体９）上に移動する。この時、白トナーは空間を移動して飛散するため、転写紙Ｐ又は中間転写体９に到着した時にバウンドや乱れ等が生じ、飛び散りが発生する。例えば、転写手段５ａ，５ｂ，５ｃとして、帯電器を用いた場合、転写紙Ｐへの有色トナーの転写電流を２０μAとした場合、白色トナーの転写電流は４０μAとする。
【００３６】
なお、転写手段５ａ，５ｂ，５ｃとして帯電器を用いた場合の転写電流は次のように定義される。
図１６に示すように、ケースＣとワイヤＷとの間に電圧Ｅを印加することによって得られる電流をItとし、ワイヤＷとケースＣ間で起きた放電により、ケースＣに流れ込む電流をIg、転写紙Ｐ側に流れ込む電流をＩとすると、It＝Ig＋Ｉとなる。転写電流はトナー転写に寄与する電流であるため、Ｉが転写電流となる。転写電流Ｉは、電源Ｅから流れる電流Ｉｔを計測し、その値からケースＣに流れ込む電流Ｉｇを引いた値を用いている。つまりＩ＝It−Igで表わされる。
【００３７】
さらに、転写前にトナーが転写材に飛翔しやすくするためには、転写電流を増加させることに加えて、現像後で転写前の領域において、感光体１ｂ，１ｃ上の白色トナーを除電部材１０で除電し、感光体１ｂ，１ｃへの静電付着力を弱め、飛散しやすくすることが好ましい。
【００３８】
また、図１５に示すように、感光体１ａ，１ｂ，１ｃ上に現像されて、静電気的に付着しているトナーＴには電気力線Ｆが発生し、転写もしくは転写前の領域ではその電気力線Ｆに沿ってトナーが飛翔する。その際に、電気力線が転写紙Ｐ（又は中間転写体９）の方に向いている場合は良いが、エッジ効果が強く、感光体の方へ回り込んでいる電界近辺のトナーは不安定な電界のため、転写時に散る現象が見られる。
【００３９】
前述したように、転写前にトナーを散らせるためには、トナーの像担持体への付着力は小さい方が好ましいが、逆に強すぎても、散らせることが可能であることがわかる。つまり、転写もしくは転写前の感光体上のトナーには、強力なエッジ効果が働いている方が良いことがわかる。これを転写させることにより、白色トナーが飛散する。
【００４０】
一般に感光体近辺に発生する電界Ｅopcは、
Eopc≒（Vopc-Vtoner）/ｄopc
（Vopc：感光体電位  Vtoner：トナー層電位  ｄopc：感光体層膜厚）
となり、感光体とトナー間で発生する電界によるエッジ効果は、感光体層の膜厚が薄く、トナー層と感光体間の電位差が大きいほど、強力に働くことがわかる。つまり、白色トナー用の感光体は有色トナー用の感光体より感光体層を薄く設定することが好ましい。もしくは、白色トナーを現像する場合の感光体の初期電位Vopcを有色トナーの初期電位より大きくとることによって、Vopc-Vtonerの絶対値を高く設定でき、有色トナーに比べて、白色トナーをより飛散しやすくすることが可能となる。
【００４１】
白色トナー母材
トナーのベース材料（母材）としては、スチレンアクリル系とポリエステル系が挙げられる。一般的にポリエステル系は樹脂の透明度が高いため、カラー画像等の色再現性の高い画質を目指す場合に用いられる。一方スチレンアクリル系は、乳白色であるため、透過性が低下するが、黒トナーなどの無彩色トナーに使用される。
【００４２】
白色トナーは、有色トナーの隠蔽を行うことが目的であるため、下地色の透過を妨げ、かつ、有色トナーの色再現に影響を与えないという効果を持つものが良い。つまり、母材としては無色透明が適しており、白色材のみで、隠蔽を行うことが適していると考えられる。よって白色トナーの母材としては、透明性の高い樹脂であるポリエステル系が適している。また、ポリエステルと同様の効果をもつ、ポリメチルメタクリレートも母材として用いることができる。
【００４３】
白色トナー材
白色トナー材の含有率としては１０％以上３０％未満が適している。１０％以下の場合では、母材樹脂の透明度が高いため、下層の有色トナーを隠蔽できない。また、３０％より多くなると、トナーとしての特性が維持できず、帯電むらや、定着不良を起こすため画質や現像特性が大幅に低下する。よって、最適な白色トナーの含有率はトナー重量に対して、１０重量％以上３０重量％以下である。また、白色材としては、白色度の高い酸化チタンを好適に用いることができる。
【００４４】
白色トナーの粒径
一般的に粒径が小径になるほど、凝集力が働くため、転写時の飛び散りが起こりにくくなる。また、転写時に飛び散る白色トナーが、他の有色トナーより大きいと、散った白色トナーが目立ち、粒状感が荒くなる。よって、白色トナーの粒径としては、凝集力の働かない３μｍ以上で、有色トナーの粒径未満が適している。
【００４５】
【発明の効果】
この発明によれば、有色トナー画像上に白色トナーが分散して転写されるので、粒状感のない滑らかな中間調画像を容易に得ることができる。
【図面の簡単な説明】
【図１】この発明の実施例に係る画像形成装置の一例を示す構成説明図である。
【図２】この発明の実施例に係る画像形成装置の他の例を示す構成説明図である。
【図３】この発明の実施例における中間調画像の画素を示す説明図である。
【図４】この発明の実施例における中間調画像の画素を示す説明図である。
【図５】この発明の実施例における中間調画像の画素を示す説明図である。
【図６】この発明の実施例における中間調画像の画素を示す説明図である。
【図７】この発明の実施例における中間調画像の画素を示す説明図である。
【図８】この発明の実施例における中間調画像の画素を示す説明図である。
【図９】この発明の実施例における中間調画像の画素を示す説明図である。
【図１０】この発明の実施例における中間調画像の画素を示す説明図である。
【図１１】この発明の実施例における中間調画像の画素を示す説明図である。
【図１２】この発明の実施例におけるトナーの転写紙への転写順序を示す説明図である。
【図１３】この発明の実施例におけるトナーの転写動作を示す説明図である。
【図１４】この発明の実施例におけるトナーの転写動作を示す説明図である。
【図１５】この発明の実施例における転写時の電界を示す説明図である。
【図１６】この発明の実施例における転写時の転写電流を示す説明図である。
【符号の説明】
１ａ  感光体ドラム
１ｂ  感光体ドラム
１ｃ  感光体ドラム
２ａ  帯電器
２ｂ  帯電器
２ｃ  帯電器
３ａ  光ビーム
３ｂ  光ビーム
３ｃ  光ビーム
４ａ  現像器
４ｂ  現像器
５ａ  転写手段
５ｂ  転写手段
５ｃ  転写手段
５ｄ  転写手段
７ａ  クリーニング部材
７ｂ  クリーニング部材
７ｃ  クリーニング部材
９  中間転写体
１０  除電部材
Ｐ  転写紙
Ｔ  トナー
【図１】
0003753600.tif 000002
【図２】
0003753600.tif 000003
【図３】
0003753600.tif 000004
【図４】
0003753600.tif 000005
【図５】
0003753600.tif 000006
【図６】
0003753600.tif 000007
【図７】
0003753600.tif 000008
【図８】
0003753600.tif 000009
【図９】
0003753600.tif 000010
【図１０】
0003753600.tif 000011
【図１１】
0003753600.tif 000012
【図１２】
0003753600.tif 000013
【図１３】
0003753600.tif 000014
【図１４】
0003753600.tif 000015
【図１５】
0003753600.tif 000016
【図１６】
0003753600.tif 000017